(57)【特許請求の範囲】
【請求項１】
合成樹脂製のシャッタ地板に枢着されている複数のアームに１枚以上の羽根を枢支してなる第１のシャッタ羽根と、前記シャッタ地板に往復回転可能に取り付けられていて撮影に際してはセット位置から回転して前記第１のシャッタ羽根を露光作動させる第１の駆動部材と、前記シャッタ地板に枢着されている複数のアームに１枚以上の羽根を枢支してなる第２のシャッタ羽根と、前記シャッタ地板に往復回転可能に取り付けられていて撮影に際してはセット位置から回転して前記第２のシャッタ羽根を露光作動させる第２の駆動部材と、前記シャッタ地板に回転可能に取り付けられていて撮影終了後には前記各シャッタ羽根を伴わせ前記二つの駆動部材をセット位置へ復帰させる第１のセット部材と、を備えていて、前記シャッタ地板には、前記第１の駆動部材を取り付ける第１の孔と、前記第１のセット部材を取り付ける第２の孔と、前記第２の駆動部材を取り付ける第３の孔と、前記シャッタ地板に回転可能に取り付けられ前記第１のセット部材をリンクを介して回転させる第２のセット部材を取り付け得る第４の孔とが形成されており、前記第１の駆動部材は、前記第１の孔に挿入されてかしめられた金属製の回転軸に回転可能に嵌合するか、合成樹脂で一体成形された回転軸を前記第１の孔に回転可能に嵌合するか、又は、一体化された金属製の回転軸を前記第１の孔に圧入されたスリーブに軸受けされるかして前記シャッタ地板に取り付けられ、前記第１のセット部材は、前記第２の孔に挿入されてかしめられた金属製の回転軸に回転可能に嵌合するか、合成樹脂で一体成形された回転軸を前記第２の孔に回転可能に嵌合するか、又は、一体化された金属製の回転軸を前記第２の孔に圧入されたスリーブに軸受けされるかして前記シャッタ地板に取り付けられ、前記第２の駆動部材は、前記第３の孔に挿入されてかしめられた金属製の回転軸に回転可能に嵌合するか、合成樹脂で一体成形された回転軸を前記第３の孔に回転可能に嵌合するか、又は、一体化された金属製の回転軸を前記第３の孔に圧入されたスリーブに軸受けされるかして前記シャッタ地板に取り付けられていて、前記第４の孔には何も取り付けられていないことを特徴とするカメラ用フォーカルプレンシャッタ。
【請求項２】
前記第２のセット部材を備えていて、前記第２のセット部材は、前記第４の孔に挿入されてかしめられた金属製の回転軸に回転可能に嵌合するか、合成樹脂で一体成形された回転軸を前記第４の孔に回転可能に嵌合するか、又は、一体化された金属製の回転軸を前記第４の孔に圧入されたスリーブに軸受けされるかして前記シャッタ地板に取り付けられていることを特徴とする請求項１に記載のカメラ用フォーカルプレンシャッタ。
【発明の詳細な説明】
【０００１】
【発明の属する技術分野】
本発明は、フィルムを使用するカメラにもデジタルカメラにも用いることのできるカメラ用のフォーカルプレンシャッタに関する。
【０００２】
【従来の技術】
最近のフォーカルプレンシャッタは、シャッタ羽根を二つ（先羽根（群）と後羽根（群））備えていて、それらを、シャッタ地板，中間板，補助地板と称されている３枚の板部材で構成された二つの羽根室に別々に配置している。また、デジタルカメラ用のフォーカルプレンシャッタの中には、シャッタ羽根を一つしか備えていないものがあるが、その場合には、上記のうちの二つの地板だけで一つの羽根室を構成するようにしている。そして、いずれの場合にも、各シャッタ羽根は、一端をシャッタ地板に枢着された二つのアームに対し、１枚以上の羽根を枢支することによって、平行四辺形のリンク機構を応用した機構として構成されているのが普通である。
【０００３】
そして、シャッタ地板には、露光開口の一方の側方領域において、所定の間隔をあけて支持板が取り付けられており、それらのシャッタ地板と支持板との間には、駆動部材やセット部材などの回転部材が配置されている。そのうち、駆動部材は、上記した二つのアームの一方を往復作動させることによって、シャッタ羽根に露光開口の開閉作動を行わせるものであり、シャッタ羽根を二つ備えているシャッタの場合には、別々に二つ備えるものである。そして、その駆動部材は、露光作動時には、駆動ばねの付勢力によって急速に回転させられるようになっている。
【０００４】
また、セット部材は、一回の撮影が終了すると、次の撮影に備えて、駆動部材を駆動ばねの付勢力に抗してセット位置まで回転させるためのものであり、駆動部材を二つ備えている場合にも、通常は、一つのセット部材が略それらの間の位置に配置されていて、両方の駆動部材を各々のセット位置まで回転させ得るようになっている。更に、仕様によっては、シャッタ地板の隅位置に、上記のセット部材とリンクを介して連結されている補助セット部材が回転可能に設けられていて、カメラ本体側の部材は、その補助セット部材を回転させることによって、セット部材を回転させるようにしたものもある。そして、実用新案登録第２５２１２３５号公報には、上記のような二つの駆動部材（後幕レバー２，先幕レバー９）と、セット部材（セットレバー１６）と、補助セット部材（チャージ部材２２）とを全て備えたフォーカルプレンシャッタが開示されている。
【０００５】
【発明が解決しようとする課題】
ところで、シャッタ地板に対して、上記のような駆動部材，セット部材，補助セット部材等の回転部材を取り付けるには、シャッタ地板と共に回転軸を合成樹脂材料で一体成形し、その回転軸に対して回転部材を回転可能に嵌合させるようにする方法がある。しかしながら、この方法は、比較的薄い板面に、細長い複数の回転軸を垂直に形成することになるので、その垂直性が確実に得られるようにするためには、金型が高価になったり、高度の成形加工技術が必要になるという問題点がある。
【０００６】
本発明は、このような問題点を解決するためになされたものであり、その目的とするところは、合成樹脂製のシャッタ地板に孔をあけておき、その孔に対して金属製の回転軸を挿入してかしめた後、その回転軸に対して駆動部材，セット部材，補助セット部材等の回転部材を回転可能に嵌合させることも、その孔に対して、その回転部材と合成樹脂で一体成形された回転軸を回転可能に挿入することも、その孔に対して、その回転部材と一体化された金属製の回転軸を軸受けするためのスリーブを圧入することも可能にしたカメラ用フォーカルプレンシャッタを提供することである。
【０００７】
【課題を解決するための手段】
上記の目的を達成するために、本発明のカメラ用フォーカルプレンシャッタは、合成樹脂製のシャッタ地板に枢着されている複数のアームに１枚以上の羽根を枢支してなる第１のシャッタ羽根と、前記シャッタ地板に往復回転可能に取り付けられていて撮影に際してはセット位置から回転して前記第１のシャッタ羽根を露光作動させる第１の駆動部材と、前記シャッタ地板に枢着されている複数のアームに１枚以上の羽根を枢支してなる第２のシャッタ羽根と、前記シャッタ地板に往復回転可能に取り付けられていて撮影に際してはセット位置から回転して前記第２のシャッタ羽根を露光作動させる第２の駆動部材と、前記シャッタ地板に回転可能に取り付けられていて撮影終了後には前記各シャッタ羽根を伴わせ前記二つの駆動部材をセット位置へ復帰させる第１のセット部材と、を備えていて、前記シャッタ地板には、前記第１の駆動部材を取り付ける第１の孔と、前記第１のセット部材を取り付ける第２の孔と、前記第２の駆動部材を取り付ける第３の孔と、前記シャッタ地板に回転可能に取り付けられ前記第１のセット部材をリンクを介して回転させる第２のセット部材を取り付け得る第４の孔とが形成されており、前記第１の駆動部材は、前記第１の孔に挿入されてかしめられた金属製の回転軸に回転可能に嵌合するか、合成樹脂で一体成形された回転軸を前記第１の孔に回転可能に嵌合するか、又は、一体化された金属製の回転軸を前記第１の孔に圧入されたスリーブに軸受けされるかして前記シャッタ地板に取り付けられ、前記第１のセット部材は、前記第２の孔に挿入されてかしめられた金属製の回転軸に回転可能に嵌合するか、合成樹脂で一体成形された回転軸を前記第２の孔に回転可能に嵌合するか、又は、一体化された金属製の回転軸を前記第２の孔に圧入されたスリーブに軸受けされるかして前記シャッタ地板に取り付けられ、前記第２の駆動部材は、前記第３の孔に挿入されてかしめられた金属製の回転軸に回転可能に嵌合するか、合成樹脂で一体成形された回転軸を前記第３の孔に回転可能に嵌合するか、又は、一体化された金属製の回転軸を前記第３の孔に圧入されたスリーブに軸受けされるかして前記シャッタ地板に取り付けられていて、前記第４の孔には何も取り付けられていないようにする。
【００１１】
また、本発明のカメラ用フォーカルプレンシャッタにおいては、更に、前記第２のセット部材を備えていて、前記第２のセット部材は、前記第４の孔に挿入されてかしめられた金属製の回転軸に回転可能に嵌合するか、合成樹脂で一体成形された回転軸を前記第４の孔に回転可能に嵌合するか、又は、一体化された金属製の回転軸を前記第４の孔に圧入されたスリーブに軸受けされるかして前記シャッタ地板に取り付けられているようにしてもよい。
【００１２】
【発明の実施の形態】
本発明の実施の形態を、図示した三つの実施例によって説明する。尚、図１はカメラに組み込まれた状態において被写体側から視た第１実施例の平面図であって露光作動終了直後の状態を示したものである。図２は第１実施例における各部材の重なり状態を示した断面図であり、図３は第１実施例の平面図の一部を示したものであってセット状態を示したものである。また、図４は第２実施例における各部材の重なり状態を示した断面図である。更に、図５は第３実施例の平面図の一部を示したものであって露光作動終了直後の状態を示したものであり、図６は第３実施例における各部材の重なり状態を示した断面図である。また、これらの図面においては、各実施例で共通する部材及び部位には、同じ符号を付けてあり、構成の説明においては、被写体側を表面側と称し、フィルム面等の結像面側を背面側と称することにする。
【００１３】
［第１実施例］
先ず、本実施例の構成を説明する。図１において、シャッタ地板１は、合成樹脂製であって、その略中央部に長方形を横長にした開口部１ａが形成されている。また、図２に示すように、シャッタ地板１の背面側には、所定の間隔を空けて、中間板２と補助地板３が順に取り付けられており、シャッタ地板１と中間板２との間に後羽根の羽根室を形成し、中間板２と補助地板３との間に先羽根の羽根室を形成している。そして、中間板２と補助地板３にも、開口部１ａと類似の開口部が形成されていて、通常は、それらの三つの開口部を重ね合わせて露光開口を規制するようにしているが、本実施例においては、開口部１ａの形状が露光開口を規制しているものとして説明する。
【００１４】
図１において、開口部１ａの左側には、円弧状の二つの長孔１ｂ，１ｃが形成されており、それらの下方端部には、平面形状が略Ｃ字状をした周知の緩衝部材４，５が取り付けられている。また、開口部１ａの左下方位置には円形の孔１ｄが形成されている。更に、シャッタ地板１の表面側には、二つの柱１ｅ，１ｆ（図２参照）が一体成形によって形成されており、それらの先端には、支持板６とプリント配線板７とが、ビス８，９によって取り付けられている。そして、図１においては、その支持板６を一点鎖線で示しているが、プリント配線板７の図示は省略されている。尚、支持板６については、詳しく後述する。
【００１５】
更に、シャッタ地板１の表面側には軸１ｇが立設されているが、この軸１ｇは金属製であって、図２から分かるように、その一端を、シャッタ地板１に形成された孔１ｈに挿入した後、シャッタ地板１にかしめられている。そして、この軸１ｇの先端部に設けられた小径部は、支持板６とプリント配線板７に形成された孔に挿入されている。また、シャッタ地板１の背面側には、図１に示すように、四隅に軸１ｉ，１ｊ，１ｋ，１ｍが立設されているが、これらは、上記した中間板２と補助地板３を取り付けるためのものである。更に、シャッタ地板１の背面側には、図２に示すように、金属製の軸１ｎ，１ｐが立設されているが、それらの軸１ｎ，１ｐはシャッタ地板１に形成された孔に圧入されている。
【００１６】
上記の支持板６は、比較的薄い金属製の板材で製作されている。そして、この支持板６には、シャッタ地板１側に折り曲げられた沢山の折曲部が設けられていて、それらの折曲部の一部には、特開平９−１３３９４４号公報に記載されている方法に準じて、先羽根用電磁石１０と後羽根用電磁石１１が取り付けられている。また、これらの電磁石１０，１１は、図面を見やすくするため、図１では一点鎖線で示され、図２では省略されているが、それらの鉄芯部材１０ａ，１１ａは、上記の各公報の記載からも分かるように、実際にはコ字状をしていて、二つの磁極部の一方にはコイル１０ｂ，１１ｂを巻回したボビンを嵌装している。更に、図１に示された二つの折曲部６ａ，６ｂは、ラチェット爪として形成されており、後述する二つのラチェット部材の回転止めを行なうためのものである。
【００１７】
支持板６には、ラチェット部材１２，１３が回転可能に取り付けられている。しかし、その取り付け構成は、本発明とは直接関係がないので、図示と説明を省略する。そして、各ラチェット部材１２，１３は、外周面に歯部１２ａ，１３ａを形成し、回転中心部に軸方向に貫通した孔１２ｂ，１３ｂを形成しているが、それらの歯部１２ａ，１３ａには、上記の折曲部６ａ，６ｂの先端が噛合している。また、周知であるが、各ラチェット部材１２，１３には、後述する各駆動ばねの一部を受け入れる凹部が形成されていて、そこには該駆動ばねのばね掛け部が形成されている。
【００１８】
シャッタ地板１の表面側には、合成樹脂製の先羽根用駆動部材１４と後羽根用駆動部材１５が回転可能に取り付けられている。そして、本実施例のシャッタは、どちらかというと低コスト対応のシャッタとして構成されているため、各駆動部材１４，１５は、図２に示されているように、ラチェット部材１２，１３の孔１２ｂ，１３ｂに回転可能に嵌合させる軸部１４ａ，１５ａと、シャッタ地板１の孔１ｑ，１ｒに回転可能に嵌合させる軸部１４ｂ，１５ｂと、二つの羽根室内に延伸していてそれらの先端を補助地板３の孔３ａ，３ｂに回転可能に嵌合させる軸部１４ｃ，１５ｃとを、一体成形にて形成している。
【００１９】
また、各駆動部材１４，１５は、被押動部１４ｄ，１５ｄと、駆動ピン１４ｅ，１５ｅと、取付部１４ｆ，１５ｆとを有している。それらのうち、駆動ピン１４ｅ，１５ｅは、背面側に設けられており、根元部の断面形状が円形をし、先端部の断面形状が砲弾型をしている。そして、その根元部が緩衝部材４，５に当接し得るようになっていて、先端部は長孔１ｂ，１ｃを貫通し、シャッタ地板１の背面側に突き出ている。また、取付部１４ｆ，１５ｆの内部には、図示していないばねを介在させて鉄片部材１６，１７が取り付けられているが、その具体的な取付け構成は周知であって、且つ本発明とは直接関係がないので、その詳細な説明を省略する。
【００２０】
各駆動部材１４，１５と各ラチェット部材１２，１３との間には、各々駆動ばね１８，１９が掛けられている。そして、各駆動ばね１８，１９は各駆動部材１４，１５を、図１において時計方向へ回転させるように付勢している。そのため、その付勢力は、ラチェット部材１２，１３に対しては反時計方向へ回転させるように作用しているが、その反時計方向への回転は、上記した折曲部６ａ，６ｂによって阻止されるようになっている。尚、このような構成は周知であるが、製作時に折曲部６ａ，６ｂに係合するラチェット歯を選択することによって、各駆動ばね１８，１９の付勢力が調整できるようになっている。
【００２１】
また、上記したシャッタ地板１の軸１ｇには、合成樹脂製のセット部材２０が回転可能に取り付けられている。このセット部材２０は、図１においては、図示していない復帰ばねの付勢力によって、反時計方向へ回転するように付勢されているが、その回転を図示していないストッパによって阻止されている。以下、セット部材２０については、この位置を初期位置と称することにする。また、このセット部材２０は、押動部２０ａ，２０ｂと、被押動部２０ｃとを有していて、図１において時計方向へ回転したとき、押動部２０ａは先羽根用駆動部材１４の被押動部１４ｄを押し、押動部２０ｂは後羽根用駆動部材１５の被押動部１５ｄを押すようになっている。尚、本実施例におけるセット部材２０は、シャッタ地板１の孔１ｈに挿入してからかしめられた金属製の軸１ｇに取り付けられているが、各駆動部材１４，１５と同様に、二つの軸部を一体成形で形成し、それらを、シャッタ地板１に形成された孔１ｈと、支持板６に形成された孔とで、回転可能に軸受けするようにしても差し支えなく、そのようにした場合には、より低コスト化が可能になる。
【００２２】
次に、シャッタ地板１の背面側に配置されている先羽根と後羽根の構成を説明するが、図１においては、図面を見やすくするためと、従来の構成と特に異なる構成をしているわけではないことから、それらの一部の図示が省略されている。先ず、先羽根は、二つのアーム２１，２２と、それらの長さ方向に順に枢支された４枚の羽根２３，２４，２５，２６とで構成され、アーム２１，２２の最先端に枢支されている羽根２６がスリット形成羽根となっている。また、アーム２１は、図２に示されている先羽根用駆動部材１４の軸部１４ｃに回転可能に取り付けられ、アーム２２は、同じく図２に示されている軸１ｎに回転可能に取り付けられている。そして、周知のように、先羽根用駆動部材１４の駆動ピン１４ｅが、アーム２１に形成されている孔に嵌合している。
【００２３】
他方、後羽根は、二つのアーム２７，２８と、それらの長さ方向に順に枢支された４枚の羽根２９，３０，３１，３２とで構成され、アーム２７，２８の最先端に枢支されている羽根３２がスリット形成羽根となっている。また、アーム２７は、図２に示されている後羽根用駆動部材１５の軸部１５ｃに回転可能に取り付けられ、アーム２８は、図２に示されている軸１ｐに回転可能に取り付けられている。そして、後羽根用駆動部材１５の駆動ピン１５ｅが、アーム２７に形成されている孔に嵌合している。尚、図２においては、先羽根の羽根２３〜２６と後羽根の羽根２９〜３２は、図示を省略されている。また、図１においては、上記の軸１ｎ，１ｐの配置位置が示されていないが、周知のように、先羽根及び後羽根は平行四辺形のリンク機構として構成されるものであるから、各駆動部材１４，１５の回転軸位置と結ぶ線分が、各羽根の二つの枢支部を結ぶ線分と平行且つ同長となる位置に配置されていることは言うまでもない。
【００２４】
次に、本実施例の作動を簡単に説明する。図１は、露光作動終了直後の状態を示している。従って、先羽根用駆動部材１４は、駆動ばね１８によって時計方向へ回転するように付勢されているが、駆動ピン１４ｅが緩衝部材４に当接していることによって、この停止状態が維持されている。そして、先羽根の４枚の羽根２３〜２６は重畳され、開口部１ａの下方位置に格納されている。他方、後羽根用駆動部材１５は、駆動ばね１９によって時計方向へ回転するように付勢されているが、駆動ピン１５ｅが緩衝部材５に当接していることによって、停止状態が維持されている。そして、後羽根の４枚の羽根２９〜３２は展開され、開口部１ａを覆っている。
【００２５】
本実施例のセット作動は、図示していないカメラ本体側の部材がセット部材２０を時計方向へ回転させることによって行なわれる。即ち、カメラ本体側の部材がセット部材２０の被押動部２０ｃを押し、図示していない復帰ばねの付勢力に抗して時計方向へ回転させると、先ず、セット部材２０の押動部２０ａが先羽根用駆動部材１４の被押動部１４ｄを押し、駆動ばね１８の付勢力に抗して反時計方向へ回転させていく。また、この回転によって、先羽根用駆動部材１４の駆動ピン１４ｅがアーム２１を反時計方向へ回転させ、先羽根の４枚の羽根２３〜２６を展開させつつ上方へ移動させていく。
【００２６】
その後、先羽根のスリット形成羽根２６と、後羽根のスリット形成羽根３２との重なり量が所定量に達すると、セット部材２０の押動部２０ｂが被押動部１５ｄを押し、後羽根用駆動部材１５を反時計方向へ回転させていく。そのため、駆動ピン１５ｅがアーム２７を反時計方向へ回転させ、後羽根の４枚の羽根２９〜３２を重畳させつつ上方へ移動させていく。そして、その後、各駆動部材１４，１５に取り付けられた鉄片部材１６、１７が、各電磁石１０，１１の鉄芯部材１０ａ，１１ａに接触した直後に、セット部材２０の回転が停止され、セット作動が終了する。
【００２７】
このようにして行なわれたセット作動の終了状態、即ちセット状態が図３に示されている。そして、このとき、後羽根の４枚の羽根２９〜３２は重畳状態となって開口部１ａの上方位置に格納されており、先羽根の４枚の羽根２３〜２６は展開状態となって開口部１ａを覆っているが、図３においては、それらの図示が省略されている。また、セット部材２０は、次の撮影が行なわれるまで、この状態を維持されている。
【００２８】
次の撮影に際して、カメラのレリーズボタンが押されると、先ず、各電磁石１０，１１のコイル１０ｂ，１１ｂに通電され、鉄片部材１６，１７が吸着保持される。次に、図示していないカメラ本体側の部材が、セット部材２０の被押動部２０ｃに対する押圧力を解いていくと、セット部材２０は、図示していない復帰ばねの付勢力によって反時計方向へ回転され、初期位置へ復帰する。
【００２９】
その後、最初に先羽根用電磁石１０のコイル１０ｂに対する通電が断たれ、所定時間後に後羽根用電磁石１１のコイル１１ｂに対する通電が断たれる。そのため、先羽根用駆動部材１４と後羽根用駆動部材１５が、各々の駆動ばね１８，１９の付勢力によって相次いで急速に時計方向へ回転させられ、各駆動ピン１４ｅ，１５ｅによって、各アーム２１，２７を時計方向へ回転させることになる。そのため、先羽根のスリット形成羽根２６と後羽根のスリット形成羽根３２とで形成されるスリットにより、結像面の露光が行なわれていくことになる。
【００３０】
そして、露光作動を先に開始した先羽根用駆動部材１４は、その作動の終了段階で、駆動ピン１４ｅが、長孔１ｂの下端部に取り付けられている緩衝部材４に当接して停止させられる。続いて、後羽根用駆動部材１５も、その作動の終了段階になると、駆動ピン１５ｅが、長孔１ｃの下端部に取り付けられている緩衝部材５に当接して停止させられる。従って、その停止状態においては、先羽根の４枚の羽根２３〜２６は重畳されて開口部１ａの下方位置に格納され、後羽根の４枚の羽根２９〜３２は展開されて開口部１ａを覆った状態となるが、その露光作動終了直後の状態が、図１に示された状態である。
【００３１】
［第２実施例］
次に、図４を用いて第２実施例を説明するが、本実施例の構成は、殆どが第１実施例の場合と同じである。そのため、シャッタ地板１も、部品単体としては、第１実施例のシャッタ地板１と全く同じ形状・寸法をしていて、回転部材を取り付けるために用意されている孔１ｄ，１ｈ，１ｑ，１ｒも、当然のことながら、第１実施例の場合と全く同じ位置で同じ大きさに形成されている。そして、このシャッタ地板１の形状・寸法については、後述する第３実施例においても全く同じである。このことは、言い換えると、シャッタ地板１については、上記した第１実施例の構成にも、本実施例の構成にも、第３実施例の構成にも使用することが可能であって、それらの機能・性能の異なるシャッタに共通部品として製作されているということである。
【００３２】
そのようなことから、図４においては、第１実施例と全く同じ部材，部位には同じ符号を付け、それらについての説明を省略することとし、一部の異なる構成についてだけ説明することにする。上記のように、第１実施例は、低コスト対応のシャッタであった。そのため、先羽根用駆動部材１４と後羽根用駆動部材１５とは、軸部１４ａ，１４ｂ，１４ｃ及び１５ａ，１５ｂ，１５ｃを、合成樹脂で一体成形していた。ところが、高速で且つ頻繁に作動させても長期にわたって安定した作動を確保できるようにするためには、他の構成の駆動部材を採用する必要がある。そのため、本実施例においては、高耐久性の要求に対応するために、第１実施例の場合とは異なる先羽根用駆動部材３４と後羽根用駆動部材３５とが採用されている。
【００３３】
本実施例における先羽根用駆動部材３４と後羽根用駆動部材３５とは、合成樹脂製の本体の回転中心部に軸方向に貫通している孔を設け、そこに金属製の軸３４ａ，３５ａを圧入して製作されている。各駆動部材３４，３５のその他の形状は、第１実施例の駆動部材１４，１５と全く同じである。そのため、図４に示されているように、各駆動部材３４，３５は、被押動部３４ｄ，３５ｄと、駆動ピン３４ｅ，３５ｅと、取付部３４ｆ，３５ｆとを有している。他方、シャッタ地板１の孔１ｑ，１ｒには、軸受け用に金属製のスリーブ３６，３７が圧入されているが、孔１ｑ，１ｒに挿入後、シャッタ地板１にかしめるようにしても差し支えない。そして、各駆動部材３４，３５は、軸３４ａ，３５ａの一端をラチェット部材１２，１３の孔１２ｂ，１３ｂに嵌合させ、軸３４ａ，３５ａの他端をスリーブ３６，３７に嵌合させている。
【００３４】
このように、本実施例のシャッタは、各駆動部材３４，３５が金属製の軸３４ａ，３５ａを有していて、それらが金属製のスリーブ３６，３７と嵌合するように構成されているので、高速回転をさせるのに適していて、且つ耐久性に優れたものとなっている。従って、第１実施例のシャッタよりもグレードの高いシャッタであるが、シャッタ地板１は、このような性能の異なるシャッタに対して共通に使用できるものとなっている。尚、このような構成の説明からも分かるように、本実施例の作動は第１実施例の場合と同じようにして行なわれるものであるから、重複を避けるために、その説明を省略する。
【００３５】
［第３実施例］
次に、図５及び図６を用いて第３実施例を説明するが、本実施例の構成は、第２実施例の構成と共通している点が多く、上記したように、シャッタ地板１も、部品単体としては、第１実施例及び第２実施例のシャッタ地板１と全く同じ形状・寸法をしている。要するに、シャッタ地板１は、構成の異なる複数のシャッタに対し、共通に使用することができるように設計されているということである。そのようなことから、図５及び図６においては、第１実施例及び第２実施例と全く同じ部材，部位には同じ符号を付け、それらについての説明を省略することとし、構成の異なる点についてだけ説明することにする。
【００３６】
本実施例のシャッタも、第２実施例と同様に、高速性と耐久性においては、第１実施例のものよりも優れている。そのため、先羽根用駆動部材３４及び後羽根用駆動部材３５の構成と、それらの軸受け構成は、第２実施例の場合と全く同じである。そして、本実施例の構成が、上記の二つの実施例と異なる点は、セット機構の構成にある。即ち、図６から分かるように、シャッタ地板１の孔１ｄには、金属製の軸１ｓの一端が挿入され、シャッタ地板１にかしめられている。そして、他端は、支持板６の折曲部６ｃに形成された孔に嵌合されている。
【００３７】
上記の軸１ｓには、合成樹脂製の補助セット部材３８が回転可能に取付けられているが、この補助セット部材３８には、図示していないカメラ本体側の部材によって操作される被押動部３８ａが形成されている。また、補助セット部材３８には孔が設けられていて、その孔に金属製の軸３８ｂを圧入することによってリンク３９の一端が回転可能に取付けられている。更に、本実施例のセット部材４０は、合成樹脂製であって、金属製の軸１ｇに回転可能に取り付けられており、各駆動部材３４，３５の被押動部３４ｄ，３５ｄを押す押動部４０ａ，４０ｂのほか軸部４０ｃを有している。
【００３８】
そして、その軸部４０ｃには、上記のリンク３９の他端にかしめられているスリーブ４１が、回転可能に嵌合されている。また、補助セット部材３８は、図５において、図示していない復帰ばねによって反時計方向へ回転するように付勢されているが、そのような復帰ばねは、上記の二つの実施例のように、セット部材４０に掛けるようにしても差し支えない。更に、セット部材４０の初期位置は、復帰ばねの付勢力によって反時計方向へ回転される補助セット部材３８を、図示していないストッパによって停止させることによって位置決めしても構わない。
【００３９】
このように、本実施例は、上記の二つの実施例のように、図示していないカメラ側の部材が、直接、セット部材２０を回転させるのではなく、間接的に回転させるようにした構成である。そして、上記の二つの実施例の構成を採用するか、本実施例の構成を採用するかは、カメラの設計仕様によって決められる。そのため、このような仕様は、当然のことながら、低コスト対応の第１実施例の場合にも要求されることがある。従って、そのような要求があっても、それに応じられるようにするために、第１実施例の場合にも、孔１ｄの形成されたシャッタ地板１が採用されている。
【００４０】
尚、そのような要求があったとき、第１実施例に、本実施例の補助セット部材３８をそのまま採用しても差し支えないが、各駆動部材３４，３５と同様に、孔１ｄにはスリーブを取り付け、合成樹脂製の補助セット部材に圧入された金属製の軸を、該スリーブに対し回転可能に嵌合させるようにしてもよいし、第１実施例の各駆動部材１４，１５と同様に、軸部を一体成形で形成し、その軸部を孔１ｄに対し回転可能に嵌合させるようにしても差し支えない。
【００４１】
このような構成の説明からも分かるように、本実施例の作動は第１実施例の場合と殆ど同じである。即ち、図５は本実施例の露光作動終了直後の状態を示したものであるが、この状態で、図示していないカメラ本体側の部材が、補助セット部材３８の被押動部３８ａを押し、図示していない復帰ばねの付勢力に抗して時計方向へ回転させると、セット部材４０は、リンク３９を介して時計方向へ回転させられるようになっている。そして、その後は、第１実施例の作動説明に準じてセット作動と露光作動が行われることになるので、重複を避けるために、その後の説明は省略する。
【００４２】
尚、上記の各実施例は、露光作動の開始直前の状態において、各駆動部材が電磁石の吸引力によって直接保持されているようにした、所謂ダイレクトタイプと称されているシャッタに本発明を適用したものである。しかしながら、本発明は、セット状態においては、各駆動部材を、係止部材によって機械的に係止しておき、露光作動の開始時には、各電磁石によって作動を可能にさせられる部材が、その係止部材による係止を解くようにした、所謂係止タイプと称されているシャッタにも適用することができるし、露光時間を機械的に制御するシャッタにも適用することが可能である。
【００４３】
また、上記の各実施例は、何れも、先羽根と後羽根という二つのシャッタ羽根を備えているため、先羽根用駆動部材と後羽根用駆動部材とを備えている。このようなシャッタは、フィルムを用いるカメラにも使用することが可能であるが、デジタルカメラにも使用することが可能である。また、デジタルカメラに使用されるシャッタの場合には、一つのシャッタ羽根しか備えていないものがあり、しかも、その場合であっても、１枚の羽根しか有していないものがある。従って、そのような場合には、当然のことながら、駆動部材は一つしか備えられていないことになるが、本発明は、そのようなシャッタにも適用することが可能である。更に、本発明は、二つの駆動部材の一方を、シャッタ地板と一体成形されている軸に対し回転可能に取り付けたものにも適用することが可能である。
【００４４】
【発明の効果】
以上のように、本発明によれば、合成樹脂製のシャッタ地板に三つ又は四つの孔をあけておき、それらの孔に対して、金属製の回転軸を挿入してかしめた後、その回転軸に対して駆動部材，セット部材，補助セット部材等の回転部材を回転可能に嵌合させることも、その回転部材と合成樹脂で一体成形された回転軸を回転可能に挿入することも、その回転部材と一体化された金属製の回転軸を軸受けするためのスリーブを圧入することも可能にしたから、そのシャッタ地板を、機能・性能の異なる種々のシャッタに使用することが可能である。
【図面の簡単な説明】
【図１】カメラに組み込まれた状態において被写体側から視た第１実施例の平面図であって露光作動終了直後の状態を示したものである。
【図２】第１実施例における各部材の重なり状態を示した断面図である。
【図３】第１実施例の平面図の一部を示したものであってセット状態を示したものである。
【図４】第２実施例における各部材の重なり状態を示した断面図である。
【図５】第３実施例の平面図の一部を示したものであって露光作動終了直後の状態を示したものである。
【図６】第３実施例における各部材の重なり状態を示した断面図である。
【符号の説明】
１                            シャッタ地板
１ａ                          開口部
１ｂ，１ｃ                    長孔
１ｄ，１ｈ，１ｑ，１ｒ，３ａ，３ｂ，１２ｂ，１３ｂ  孔
１ｅ，１ｆ                    柱
１ｇ，１ｉ，１ｊ，１ｋ，１ｍ，１ｎ，１ｐ，１ｓ，３４ａ，３５ａ，３８ｂ  軸
２                            中間板
３                            補助地板
４，５                        緩衝部材
６                            支持板
６ａ，６ｂ，６ｃ              折曲部
７                            プリント配線板
８，９                        ビス
１０                          先羽根用電磁石
１０ａ，１１ａ                鉄芯部材
１０ｂ，１１ｂ                コイル
１１                          後羽根用電磁石
１２，１３                    ラチェット部材
１２ａ，１３ａ                歯部
１４，３４                    先羽根用駆動部材
１４ａ，１４ｂ，１４ｃ，１５ａ，１５ｂ，１５ｃ，４０ｃ  軸部
１４ｄ，１５ｄ，２０ｃ，３４ｄ，３５ｄ，３８ａ  被押動部
１４ｅ，１５ｅ，３４ｅ，３５ｅ  駆動ピン
１４ｆ，１５ｆ，３４ｆ，３５ｆ  取付部
１５，３５                    後羽根用駆動部材
１６，１７                    鉄片部材
１８，１９                    駆動ばね
２０，４０                    セット部材
２０ａ，２０ｂ，４０ａ，４０ｂ  押動部
２１，２２，２７，２８        アーム
２３，２４，２５，２６，２９，３０，３１，３２  羽根
３６，３７，４１              スリーブ
３８                          補助セット部材
３９                          リンク
【図１】
0004721503.tif 000002
【図２】
0004721503.tif 000003
【図３】
0004721503.tif 000004
【図４】
0004721503.tif 000005
【図５】
0004721503.tif 000006
【図６】
0004721503.tif 000007